(57)【要約】【課題】ＰＣ部材同士を接合する際に、相互の鉄筋を機械式継手によらずに継手できる、ＰＣ部材の接合方法を提供する。【解決手段】梁部５０に梁主筋５２が埋設され、梁部６０に梁主筋６２が埋設されたプレキャストコンクリート製のＰＣ部材３０同士を、梁部５０と梁部６０とで接合する方法であって、梁部５０の接合側には、鉄筋挿入孔５４が、埋設された梁主筋５２と隣接して重なり合うように形成され、梁部６０の接合側には、梁主筋６２が、接合対象の梁部５０側に突出するように設けられ、梁部６０から突出する梁主筋６２を、梁部５０の鉄筋挿入孔５４に挿入し、該鉄筋挿入孔５４にグラウトを充填し、梁部５０に埋設された梁主筋５２と梁部６０から突出する梁主筋６２とによる重ね継手５１を形成する。【選択図】図２
2012057314.tif 000002
【特許請求の範囲】
【請求項１】
鉄筋が埋設されたプレキャストコンクリート製の第１ＰＣ部材と、プレキャストコンクリート製の第２ＰＣ部材との接合方法であって、
前記第１ＰＣ部材の前記第２ＰＣ部材側には、鉄筋挿入孔が、埋設された鉄筋と隣で重なり合うように形成され、
前記第２ＰＣ部材の前記第１ＰＣ部材側には、鉄筋が、前記第１ＰＣ部材側に突出するように設けられ、
前記第２ＰＣ部材から突出する鉄筋を、前記第１ＰＣ部材の鉄筋挿入孔に挿入し、該鉄筋挿入孔にグラウトを充填し、前記第１ＰＣ部材に埋設された鉄筋と前記第２ＰＣ部材から突出する鉄筋とによる重ね継手を形成するＰＣ部材の接合方法。
【請求項２】
前記第１ＰＣ部材と前記第２ＰＣ部材とを、前記第２ＰＣ部材から突出する鉄筋を挿通させるための貫通孔が形成されたプレキャストコンクリート製の第３ＰＣ部材を介して接合する請求項１に記載のＰＣ部材の接合方法。
【請求項３】
前記第２ＰＣ部材から突出する鉄筋は、前記第２ＰＣ部材に埋設されているか、又は、前記第２ＰＣ部材に形成された鉄筋挿入孔に挿入されている請求項１又は請求項２に記載のＰＣ部材の接合方法。
【請求項４】
鉄筋が埋設されたプレキャストコンクリート製の第１ＰＣ部材と、プレキャストコンクリート製の第２ＰＣ部材との接合構造であって、
前記第１ＰＣ部材の前記第２ＰＣ部材側には、鉄筋挿入孔が、埋設された鉄筋と隣で重なり合うように形成され、
前記第２ＰＣ部材の前記第１ＰＣ部材側には、鉄筋が、前記第１ＰＣ部材側に突出するように設けられ、
前記第２ＰＣ部材から突出する鉄筋が、前記第１ＰＣ部材の鉄筋挿入孔に挿入され、該鉄筋挿入孔にグラウトが充填され、前記第１ＰＣ部材に埋設された鉄筋と前記第２ＰＣ部材から突出する鉄筋とによる重ね継手が形成されているＰＣ部材の接合構造。
【請求項５】
前記第１ＰＣ部材と前記第２ＰＣ部材とが、前記第２ＰＣ部材から突出する鉄筋を挿通させるための貫通孔が形成されたプレキャストコンクリート製の第３ＰＣ部材を介して接合されている請求項４に記載のＰＣ部材の接合構造。
【請求項６】
鉄筋が埋設されたプレキャストコンクリート製の部材であり、プレキャストコンクリート製の被接合部材と接合されるＰＣ部材であって、
当該部材の前記被接合部材側には、重ね継手の形成用の鉄筋挿入孔が、埋設された鉄筋と隣で重なり合うように形成されているＰＣ部材。
【発明の詳細な説明】
【技術分野】
【０００１】
本発明は、プレキャストコンクリート（以下、ＰＣという）部材を接合する方法、構造、及びＰＣ部材に関する。
【背景技術】
【０００２】
鉄筋が埋設されたＰＣ製の柱や梁や仕口等のＰＣ部材同士を接合する際に、相互の鉄筋を、スリーブ式やネジ式等の機械式継手により継手することが行われている（例えば、特許文献１参照）。
【先行技術文献】
【特許文献】
【０００３】
【特許文献１】特開２００６―２２４９４号公報
【発明の概要】
【発明が解決しようとする課題】
【０００４】
しかしながら、機械式継手をコスト等の理由から調達できない場合があり、このような場合には、ＰＣ部材同士を接合する際に、相互の鉄筋を機械式継手によらずに継手できるような対策が必要となる。
【０００５】
本発明は、上記事情に鑑みてなされたものであり、ＰＣ部材同士を接合する際に、相互の鉄筋を機械式継手によらずに継手できる、ＰＣ部材の接合方法、接合構造、及びＰＣ部材を提供するものである。
【課題を解決するための手段】
【０００６】
上記課題を解決するために、本発明に係るＰＣ部材の接合方法は、鉄筋が埋設されたプレキャストコンクリート製の第１ＰＣ部材と、プレキャストコンクリート製の第２ＰＣ部材との接合方法であって、前記第１ＰＣ部材の前記第２ＰＣ部材側には、鉄筋挿入孔が、埋設された鉄筋と隣で重なり合うように形成され、前記第２ＰＣ部材の前記第１ＰＣ部材側には、鉄筋が、前記第１ＰＣ部材側に突出するように設けられ、前記第２ＰＣ部材から突出する鉄筋を、前記第１ＰＣ部材の鉄筋挿入孔に挿入し、該鉄筋挿入孔にグラウトを充填し、前記第１ＰＣ部材に埋設された鉄筋と前記第２ＰＣ部材から突出する鉄筋とによる重ね継手を形成する。
【０００７】
上記ＰＣ部材の接合方法において、前記第１ＰＣ部材と前記第２ＰＣ部材とを、前記第２ＰＣ部材から突出する鉄筋を挿通させるための貫通孔が形成されたプレキャストコンクリート製の第３ＰＣ部材を介して接合してもよい。
【０００８】
上記ＰＣ部材の接合方法において、前記第２ＰＣ部材から突出する鉄筋は、前記第２ＰＣ部材に埋設されているか、又は、前記第２ＰＣ部材に形成された鉄筋挿入孔に挿入されていてもよい。
【０００９】
上記課題を解決するために、本発明に係るＰＣ部材の接合構造は、鉄筋が埋設されたプレキャストコンクリート製の第１ＰＣ部材と、プレキャストコンクリート製の第２ＰＣ部材との接合構造であって、前記第１ＰＣ部材の前記第２ＰＣ部材側には、鉄筋挿入孔が、埋設された鉄筋と隣で重なり合うように形成され、前記第２ＰＣ部材の前記第１ＰＣ部材側には、鉄筋が、前記第１ＰＣ部材側に突出するように設けられ、前記第２ＰＣ部材から突出する鉄筋が、前記第１ＰＣ部材の鉄筋挿入孔に挿入され、該鉄筋挿入孔にグラウトが充填され、前記第１ＰＣ部材に埋設された鉄筋と前記第２ＰＣ部材から突出する鉄筋とによる重ね継手が形成されている。
【００１０】
上記ＰＣ部材の接合構造において、前記第１ＰＣ部材と前記第２ＰＣ部材とが、前記第２ＰＣ部材から突出する鉄筋を挿通させるための貫通孔が形成されたプレキャストコンクリート製の第３ＰＣ部材を介して接合されてもよい。
【００１１】
上記課題を解決するために、本発明に係るＰＣ部材は、鉄筋が埋設されたプレキャストコンクリート製の部材であり、プレキャストコンクリート製の被接合部材と接合されるＰＣ部材であって、当該部材の前記被接合部材側には、重ね継手の形成用の鉄筋挿入孔が、埋設された鉄筋と隣で重なり合うように形成されている。
【発明の効果】
【００１２】
上記発明によれば、ＰＣ部材同士を接合する際に、相互の鉄筋を機械式継手によらずに継手できる。
【図面の簡単な説明】
【００１３】
【図１】一実施形態に係るＰＣ部材の接合方法を用いて構築された架構を示す分解斜視図である。
【図２】一実施形態に係るＰＣ部材の接合方法を用いて構築された架構を示す分解立面断面図（Ａ）及び立面断面図（Ｂ）である。
【図３】他の実施形態に係るＰＣ部材の接合方法を用いて構築された架構を示す分解立面断面図（Ａ）及び立面断面図（Ｂ）である。
【図４】他の実施形態に係るＰＣ部材の接合方法を用いて構築された架構を示す分解斜視図である。
【図５】他の実施形態に係るＰＣ部材の接合方法を用いて構築された架構を示す分解立面断面図（Ａ）及び立面断面図（Ｂ）である。
【図６】他の実施形態に係るＰＣ部材の接合方法を用いて構築された架構を示す分解立面断面図（Ａ）及び立面断面図（Ｂ）である。
【図７】他の実施形態に係るＰＣ部材の接合方法を用いて構築された架構を示す分解斜視図である。
【図８】他の実施形態に係るＰＣ部材の接合方法を用いて構築された架構を示す分解立面断面図（Ａ）及び立面断面図（Ｂ）である。
【発明を実施するための形態】
【００１４】
以下、本発明の一実施形態を、図面を参照しながら説明する。図１は、一実施形態に係るＰＣ部材の接合方法を用いて構築された架構１０を示す分解斜視図である。また、図２（Ａ）は、架構１０を示す分解立面断面図であり、図２（Ｂ）は、架構１０を示す立面断面図である。これらの図に示すように、架構１０は、複数のＰＣ柱２０と、仕口部４０とその両側の梁部５０、６０とが一体化された複数のＰＣ部材３０とを備えている。架構１０を構築する際には、ＰＣ部材３０の仕口部４０をＰＣ柱２０の上に建て込み、隣設するＰＣ部材３０同士を、梁部５０と梁部６０とで接合する。
【００１５】
ＰＣ柱２０には柱主筋２２が埋設されており、ＰＣ柱２０の上端には、柱主筋２２と同軸にスリーブ継手２６が埋設されている。また、柱主筋２２の下端は、ＰＣ柱２０の下端面から突出している。また、ＰＣ柱２０の上端にはモルタルを充填するスリーブ式の機械式継手（以下、スリーブ継手という）２６が埋設されている。また、ＰＣ部材３０の仕口部４０には、柱主筋２２と同軸に鉄筋挿入孔４４が形成されている。
【００１６】
上下のＰＣ柱２０とその間の仕口部４０とは、上階のＰＣ柱２０の柱主筋２２が、仕口部４０の鉄筋挿入孔４４と下階のＰＣ柱２０のスリーブ継手２６に挿入された状態で組み合わされている。また、上下のＰＣ柱２０とその間の仕口部４０との間の目地、スリーブ継手２６、仕口部４０の鉄筋挿入孔４４にグラウトが充填されている。これにより、上階のＰＣ柱２０の柱主筋２２が、仕口部４０に定着されると共に下階のＰＣ柱２０の柱主筋２２と継手され、上下のＰＣ柱２０とその間の仕口部４０とが接合されている。
【００１７】
また、ＰＣ部材３０の梁部５０、６０にはそれぞれ梁主筋５２、６２が埋設されている。梁主筋６２は、梁部６０の端面から突出している。また、梁部５０の端部には、鉄筋挿入孔５４が形成されている。ここで、鉄筋挿入孔５４は、梁主筋５２と隣で上下に重なり合うように配置されている。また、梁主筋５２と梁主筋６２とは上下にずらして配筋され、梁主筋６２と鉄筋挿入孔５４とは同軸に配されている。また、梁部５０には、各鉄筋挿入孔５４に連通するグラウト注入口５９が形成されている。
【００１８】
一方のＰＣ部材３０の梁部５０と他方のＰＣ部材３０の梁部６０とは、梁部６０から突出した梁主筋６２が、梁部５０の鉄筋挿入孔５４に挿入された状態で組み合わされている。また、一方のＰＣ部材３０の梁部５０と他方のＰＣ部材３０の梁部６０との間の目地、及び鉄筋挿入孔５４にグラウト（図２（Ｂ）にハッチングで示す）が充填されており、梁部５０と梁部６０とが接合されている。ここで、梁部５０に埋設された梁主筋５２と梁部６０から突出した梁主筋６２とが重ね継手５１を形成している。
【００１９】
以上のような構成の架構１０におけるＰＣ柱２０とＰＣ部材３０との接合方法について説明する。図１に示すように、下階のＰＣ柱２０を建て込んだ後、各ＰＣ柱２０の上にＰＣ部材３０を図中右側から順に建て込んでいく。この際、ＰＣ部材３０を、梁部６０側を建て込み済みのＰＣ部材３０に向けて水平方向にスライドさせ、梁部６０から突出した梁主筋６２を、建て込み済みのＰＣ部材３０の梁部５０の鉄筋挿入孔５４に挿入する。その後、上階のＰＣ柱２０を下降させて、該ＰＣ柱２０から下方へ突出した柱主筋２２を、仕口部４０の鉄筋挿入孔４４に貫通させてその下のＰＣ柱２０の上端のスリーブ継手２６に挿入する。
【００２０】
次に、先行して建て込んだＰＣ部材３０の梁部５０と、後で建て込んだＰＣ部材３０の梁部６０とを接合する。また、上下のＰＣ柱２０とその間のＰＣ部材３０の仕口部４０とを接合する。梁部５０と梁部６０との接合方法は次のとおりである。
【００２１】
梁部５０と梁部６０との間の目地の外周をシールした状態で、グラウト注入口５９から鉄筋挿入孔５４にグラウトを圧入し、鉄筋挿入孔５４及び梁部５０と梁部６０との間の目地にグラウトを充填して、該グラウトを硬化させる。これにより、梁部６０から突出した梁主筋６２が、梁部５０に定着されると共に、梁主筋５２と梁主筋６２とで重ね継手５１が形成される。また、梁部５０と梁部６０とが接合される。
【００２２】
また、上下のＰＣ柱２０とその間のＰＣ部材３０の仕口部４０との接合方法は次のとおりである。上下のＰＣ柱２０とその間の仕口部４０との間の目地の外周をシールした状態で、該目地に連通されたグラウト注入口から該目地にグラウトを圧入し、該目地、スリーブ継手２６、仕口部４０の鉄筋挿入孔４４にグラウトを充填して、該グラウトを硬化させる。これにより、上階のＰＣ柱２０の柱主筋２２が、仕口部４０に定着されると共に、下階のＰＣ柱２０の柱主筋２２とスリーブ継手２６により継手され、上下のＰＣ柱２０とその間の仕口部４０とが接合される。
【００２３】
以上、本実施形態に係るＰＣ部材の接合方法では、梁部６０から突出する梁主筋６２を、梁部５０の梁主筋５２と隣で重なり合うように形成された鉄筋挿入孔５４に挿入し、該鉄筋挿入孔５４にグラウトを充填して硬化させる。これにより、隣り合って建て込まれるＰＣ部材３０同士を接合するにあたり、梁主筋５２と梁主筋６２とによる重ね継手５１を形成することができ、機械式継手によらずに梁主筋５２と梁主筋６２とを継手することができる。
【００２４】
なお、本実施形態では、梁主筋６２が突出した梁部６０を、建て込み済みのＰＣ部材３０の梁部５０に向けて移動させることにより、隣設したＰＣ部材３０を組み合わせた。しかし、図３に示すように、鉄筋挿入孔５４が形成された梁部５０を、建て込み済みのＰＣ部材３０の梁部６０に向けて移動させることにより、隣設したＰＣ部材３０を組み合わせてもよい。
【００２５】
また、本実施形態では、上階のＰＣ柱２０から下方へ柱主筋２２を突出させ、該柱主筋２２を、仕口部４０の鉄筋挿入孔４４と下階のＰＣ柱２０のスリーブ継手２６に挿入させた。しかし、ＰＣ柱２０の下端にもスリーブ継手を埋設し、ＰＣ柱２０から独立した柱主筋を、仕口部４０の鉄筋挿入孔４４とその上下のスリーブ継手とに挿入させる等してもよい。
【００２６】
図４は、他の実施形態に係るＰＣ部材の接合方法を用いて構築された架構１００を示す分解斜視図である。また、図５（Ａ）は、架構１００を示す分解立面断面図であり、図５（Ｂ）は、架構１００を示す立面断面図である。なお、架構１００において、上述の実施形態に係る架構と同様の構成には同一の符号を付し、説明は省略する。
【００２７】
架構１００は、上述の実施形態に係る架構１０のＰＣ部材３０に替えてＰＣ部材１３０を備えている。ＰＣ部材１３０の梁部１６０には、梁主筋１６２が埋設されている。また、梁部１６０の端部には、鉄筋挿入孔１６４が形成されている。ここで、梁主筋１６２と梁主筋５２とは同軸に配されており、鉄筋挿入孔１６４と鉄筋挿入孔５４とは同軸に配されている。また、鉄筋挿入孔１６４は、梁主筋１６２と隣で上下に重なり合うように並列されている。また、鉄筋挿入孔１６４と鉄筋挿入孔５４とには、やとい筋１６３が挿入されている。
【００２８】
一方のＰＣ部材１３０の梁部５０と他方のＰＣ部材１３０の梁部１６０とは、やとい筋１６３が鉄筋挿入孔１６４、５４に挿入された状態で組み合わされている。また、一方のＰＣ部材１３０の梁部５０と他方のＰＣ部材１３０の梁部１６０との間の目地、及び鉄筋挿入孔１６４、５４にグラウト（図５（Ｂ）にハッチングで示す）が充填されており、梁部５０と梁部１６０とが接合されている。ここで、梁部５０に埋設された梁主筋５２とやとい筋１６３とが重ね継手５１を形成し、梁部１６０に埋設された梁主筋１６２とやとい筋１６３とが重ね継手１６１を形成している。
【００２９】
以上のような構成の架構１００におけるＰＣ柱２０とＰＣ部材１３０との接合方法について説明する。図４に示すように、下階のＰＣ柱２０を建て込んだ後、各ＰＣ柱２０の上にＰＣ部材１３０を図中右側から順に建て込んでいく。この際、やとい筋１６３を、建て込み済みのＰＣ部材１３０の梁部５０の鉄筋挿入孔５４に挿入する。そして、ＰＣ部材１３０を、梁部１６０側を建て込み済みのＰＣ部材１３０に向けた状態で、水平方向にスライドさせ、鉄筋挿入孔５４から突出したやとい筋１６３を、鉄筋挿入孔１６４に挿入する。その後、上階のＰＣ柱２０を下降させて、該ＰＣ柱２０から下方へ突出した柱主筋２２を、仕口部４０の鉄筋挿入孔に貫通させてその下のＰＣ柱２０の上端のスリーブ継手２６に挿入する。
【００３０】
次に、先行して建て込んだＰＣ部材１３０の梁部５０と、後で建て込んだＰＣ部材１３０の梁部１６０とを接合する。また、下階のＰＣ柱２０と上階のＰＣ部材１３０の仕口部４０とを接合する。梁部５０と梁部１６０との接合方法は次のとおりである。
【００３１】
梁部５０と梁部１６０との間の目地の外周をシールした状態で、グラウト注入口５９から鉄筋挿入孔５４にグラウトを圧入し、鉄筋挿入孔５４、梁部５０と梁部１６０との間の目地、及び鉄筋挿入孔１６４にグラウトを充填して、該グラウトを硬化させる。これにより、やとい筋１６３が梁部５０、１６０に定着されると共に、梁主筋５２とやとい筋１６３とにより重ね継手５１が形成され、梁主筋１６２とやとい筋１６３とにより重ね継手１６１が形成される。また、梁部５０と梁部１６０とが接合される。また、上下のＰＣ柱２０とその間の仕口部４０とが上述の方法で接合される。
【００３２】
以上、本実施形態に係るＰＣ部材の接合方法では、梁部５０から突出するやとい筋１６３を、梁部１６０の梁主筋１６２と隣で重なり合うように形成された鉄筋挿入孔１６４に挿入し、該鉄筋挿入孔１６４にグラウトを充填して硬化させる。また、やとい筋１６３を、梁部５０に梁主筋５２と並列して形成された鉄筋挿入孔５４に挿入しておき、梁部５０、６０を組み合わせた後、鉄筋挿入孔５４にグラウトを充填して硬化させる。これにより、隣り合って建て込まれるＰＣ部材１３０同士を接合するにあたり、梁主筋５２とやとい筋１６３とによる重ね継手５１と、梁主筋１６２とやとい主筋１６３とによる重ね継手１６１とを形成することができ、機械式継手によらずに梁主筋５２と梁主筋１６２とを継手することができる。
【００３３】
図６（Ａ）は、他の実施形態に係るＰＣ部材の接合方法を用いて構築された架構２００を示す分解立面断面図であり、図６（Ｂ）は、架構１００を示す立面断面図である。なお、架構２００において、上述の各実施形態に係る架構と同様の構成には同一の符号を付し、説明は省略する。
【００３４】
架構２００は、ＰＣ柱２２０とＰＣ梁２５０、２６０とを備えている。架構２００を構築する際には、ＰＣ柱２２０を下階のＰＣ柱２２０の上に建て込み、ＰＣ梁２５０とＰＣ梁２６０とをＰＣ柱２２０を介して接合する。
【００３５】
ＰＣ梁２５０、２６０にはそれぞれ梁主筋２５２、２６２が埋設されている。梁主筋２６２は、ＰＣ梁２６０の端面から突出している。また、ＰＣ柱２２０には、水平方向に貫通する鉄筋挿入孔２２４が形成されている。この鉄筋挿入孔２２４は、梁主筋２６２と同軸に配されている。また、ＰＣ梁２５０の端部には、鉄筋挿入孔２５４が形成されている。ここで、鉄筋挿入孔２５４は、梁主筋２５２と隣で上下に重なり合うように並列されている。また、梁主筋２５２と梁主筋２６２とは上下にずらして配筋され、梁主筋２６２と鉄筋挿入孔２２４、２５４とは同軸に配されている。
【００３６】
ＰＣ柱２２０とＰＣ梁２５０、２６０とは、ＰＣ梁２６０から突出した梁主筋２６２が、ＰＣ柱２２０の鉄筋挿入孔２２４を貫通してＰＣ梁２５０の鉄筋挿入孔２５４に挿入された状態で組み合わされている。また、ＰＣ梁２６０とＰＣ柱２２０との間の目地、鉄筋挿入孔２２４、ＰＣ柱２２０とＰＣ梁２５０との間の目地、及び鉄筋挿入孔２５４にグラウト（図６（Ｂ）中ハッチングで示す）が充填されており、ＰＣ梁２６０とＰＣ柱２２０、ＰＣ柱２２０とＰＣ梁２５０が接合されている。ここで、ＰＣ梁２５０に埋設された梁主筋２５２とＰＣ梁２６０から突出した梁主筋２６２とが、重ね継手２５１を形成している。
【００３７】
以上のような構成の架構２００におけるＰＣ柱２２０とＰＣ梁２５０、２６０との接合方法について説明する。図６（Ａ）に示すように、ＰＣ梁２５０とＰＣ柱２２０とを建て込んだ後、ＰＣ梁２６０を建て込む。この際、ＰＣ梁２６０から突出した梁主筋２６２を、ＰＣ柱２２０の鉄筋挿入孔２２４に貫通させてＰＣ梁２５０の鉄筋挿入孔２５４に挿入する。
【００３８】
次に、ＰＣ梁２５０とＰＣ柱２２０、ＰＣ柱２２０とＰＣ梁２６０とを次の方法で接合する。まず、ＰＣ梁２５０とＰＣ柱２２０との間の目地の外周と、ＰＣ柱２２０とＰＣ梁２６０との間の目地の外周とをシールした状態で、グラウト注入口５９から鉄筋挿入孔２５４にグラウトを圧入し、鉄筋挿入孔２５４、ＰＣ梁２５０とＰＣ柱２２０との間の目地、鉄筋挿入孔２２４、及びＰＣ柱２２０とＰＣ梁２６０との間の目地にグラウトを充填して、該グラウトを硬化させる。これにより、ＰＣ梁２６０から突出した梁主筋２６２が、ＰＣ柱２２０とＰＣ梁２５０とに定着されると共に、ＰＣ梁２５０に埋設された梁主筋２５２と、ＰＣ梁２６０から突出した梁主筋２６２とにより重ね継手２５１が形成される。また、ＰＣ梁２５０とＰＣ柱２２０、ＰＣ柱２２０とＰＣ梁２６０とが接合される。
【００３９】
以上、本実施形態に係るＰＣ部材の接合方法では、梁部２６０から突出する梁主筋２６２を、ＰＣ柱２２０の鉄筋挿入孔２２４を通して、梁部２５０の梁主筋２５２と隣で重なり合うように形成された鉄筋挿入孔２５４に挿入し、鉄筋挿入孔２２４、２５４にグラウトを充填して硬化させる。これによって、ＰＣ梁２５０とＰＣ梁２６０とをＰＣ柱２２０を介して接合するにあたり、梁主筋２５２と梁主筋２６２とによる重ね継手２５１を形成することができ、機械式継手によらずに梁主筋２５２と梁主筋２６２とを継手することができる。
なお、ＰＣ柱２２０はＰＣ仕口部に替えてもよい。
【００４０】
図７は、他の実施形態に係るＰＣ部材を用いて構築された架構３００を示す分解斜視図である。また、図８（Ａ）は、架構３００を示す分解立面断面図であり、図８（Ｂ）は、架構３００を示す立面断面図である。架構３００において、上述の各実施形態に係る架構と同様の構成には同一の符号を付し、説明は省略する。
【００４１】
架構３００は、ＰＣ柱３１０、３２０を備えている。架構３００を構築する際には、ＰＣ柱３１０の上にＰＣ柱３２０を建て込み、これらを互いに接合する。ＰＣ柱３１０には、柱主筋３１２が埋設されている。また、ＰＣ柱３１０の上端には、鉄筋挿入孔３１４が形成されている。柱主筋３１２の上端と鉄筋挿入孔３１４とは、左右に隣り合い重なり合うように形成されている。
【００４２】
また、ＰＣ柱３２０には、柱主筋３２２が埋設されている。この柱主筋３２２の下端側は、ＰＣ柱３２０の下端面から突出している。ここで、柱主筋３１２と柱主筋３２２とは横方向にずらして配筋され、柱主筋３２２と鉄筋挿入孔３１４とは同軸に配されている。また、ＰＣ柱３１０には、各鉄筋挿入孔３１４に連通するグラウト注入口３１９が形成されている。
【００４３】
ＰＣ柱３１０とＰＣ柱３２０とは、ＰＣ柱３２０から突出した柱主筋３２２が、ＰＣ柱３１０の上端の鉄筋挿入孔３１４に挿入された状態で組み合わされている。また、鉄筋挿入孔３１４、及びＰＣ柱３１０とＰＣ柱３２０との間の目地にグラウト（図８（Ｂ）にハッチングで示す）が充填されており、ＰＣ柱３１０とＰＣ柱３２０とが接合されている。ここで、ＰＣ柱３１０に埋設された柱主筋３１２と、ＰＣ柱３２０から突出した柱主筋３２２とが、重ね継手３１１を形成している。
【００４４】
以上のような構成の架構３００おけるＰＣ柱３１０とＰＣ柱３２０との接合方法について説明する。図８（Ａ）に示すように、下階のＰＣ柱３１０を建て込んだ後、その上にＰＣ柱３２０を建て込む。この際、ＰＣ柱３２０から突出した柱主筋３２２を、ＰＣ柱３１０の鉄筋挿入孔３１４に挿入する。
【００４５】
次に、ＰＣ柱３１０とＰＣ柱３２０とを次の方法で接合する。まず、ＰＣ柱３１０とＰＣ柱３２０との間の目地の外周をシールした状態で、グラウト注入口３１９から鉄筋挿入孔３１４にグラウトを圧入し、鉄筋挿入孔３１４、ＰＣ柱３１０とＰＣ柱３２０との間の目地にグラウトを充填して、該グラウトを硬化させる。これにより、ＰＣ柱３２０から突出した柱主筋３２２が、ＰＣ柱３１０に定着されると共に、ＰＣ柱３１０に埋設された柱主筋３１２と、ＰＣ柱３２０から突出した柱主筋３２２とにより重ね継手３１１が形成される。また、ＰＣ柱３１０とＰＣ柱３２０とが接合される。
【００４６】
以上、本実施形態に係るＰＣ部材の接合方法では、ＰＣ柱３２０から突出する柱主筋３２２を、ＰＣ柱３１０の柱主筋３１２と隣で重なり合うように形成された鉄筋挿入孔３１４に挿入し、該鉄筋挿入孔３１４にグラウトを充填して硬化させる。これにより、上下に建て込まれるＰＣ柱３１０、３２０を接合するにあたり、柱主筋３１２と柱主筋３２２とによる重ね継手３１１を形成することができ、機械式継手によらずに柱主筋３１２と柱主筋３２２とを継手することができる。
【００４７】
なお、ＰＣ柱３１０、３２０はＰＣ仕口部に替えてもよく、また、ＰＣ柱３１０、３２０を、縦方向の貫通孔が形成されたＰＣ仕口部を介して接合してもよい。また、ＰＣ柱３１０、３２０の長さは、１階分の長さとしてもよく、複数階分の長さとしてもよい。また、１階分に満たない長さのＰＣ柱３１０、３２０を積み上げることにより、１階分の長さの柱を構築してもよい。
【００４８】
さらに、本実施形態では、上階のＰＣ柱３２０から下方へ突出した柱主筋３２２を、下階のＰＣ柱３１０の鉄筋挿入孔３１４に挿入させることにより、下階のＰＣ柱３１０内で重ね継手３１１を形成した。しかし、下階のＰＣ柱３１０から上方へ柱主筋を突出させて、該柱主筋を、上階のＰＣ柱３２０に形成した鉄筋挿入孔に挿入させることにより、上階のＰＣ柱３２０内で重ね継手を形成してもよい。
【００４９】
また、上記の各実施形態では、上下重ねであり、直線継手であり、あき重ね継手である重ね継手を用いたが、上下重ねは水平重ねに替えてもよく、直線継手はフック付きの重ね継手に替えてもよく、あき重ね継手は、重ね継手の相互の鉄筋を密着させた重ね継手に替えてもよい。また、重ね継手の相互の鉄筋の重ね長さ、重ね継手の相互の鉄筋の間隔は、日本建築学会発行の「鉄筋コンクリート造配筋指針・同解説」で定められている規準を満たすように設定すればよい。
【００５０】
さらに、上記の各実施形態では、柱主筋や梁主筋を重ね継手する実施例を挙げて本発明を説明したが、本発明は、腹筋を重ね継手する際にも適用可能である。
【符号の説明】
【００５１】
１０  架構、２０  ＰＣ柱、２２  柱主筋、２６  スリーブ継手、３０  ＰＣ部材（第１ＰＣ部材、第２ＰＣ部材）、４０  仕口部、４４  鉄筋挿入孔、５０  梁部、５１  重ね継手、５２  梁主筋（鉄筋）、５４  鉄筋挿入孔、５９グラウト注入口、６０  梁部、６２  梁主筋（鉄筋）、１００  架構、１３０  ＰＣ部材（第１ＰＣ部材、第２ＰＣ部材）、１３１  重ね継手、１６０  梁部、１６１  重ね継手、１６２  梁主筋（鉄筋）、１６３  やとい筋（鉄筋）、１６４  鉄筋挿入孔、２００  架構、２２０  ＰＣ柱（第３ＰＣ部材）、２２４  鉄筋挿入孔（貫通孔）、２５０  ＰＣ梁（第１ＰＣ部材）、２５１  重ね継手、２５２  梁主筋（鉄筋）、２５４  鉄筋挿入孔、２６０  ＰＣ梁（第２ＰＣ部材）、２６２  梁主筋（鉄筋）、３００  架構、３１０  ＰＣ柱（第１ＰＣ部材）、３１１  重ね継手、３１２  柱主筋（鉄筋）、３１４  鉄筋挿入孔、３１９  グラウト注入口、３２０  ＰＣ柱（第２ＰＣ部材）、３２２  柱主筋（鉄筋）
【図１】
2012057314.tif 000003
【図２】
2012057314.tif 000004
【図３】
2012057314.tif 000005
【図４】
2012057314.tif 000006
【図５】
2012057314.tif 000007
【図６】
2012057314.tif 000008
【図７】
2012057314.tif 000009
【図８】
2012057314.tif 000010